(57)【要約】    【課題】コンテンツ提供センタ毎に専用の装置などを必要とすることなく、比較的簡単な操作で所望のコンテンツを移動体内で利用可能とすること。    【解決手段】移動体に搭載した送受信機５のコンテンツ受信手段５１によりコンテンツ提供センタ１から配信される暗号化済みコンテンツを受信し、個人認証手段５５の命令に従い、対認証装置通信手段５２を用いて、個人情報記憶手段３２を有するＩＣカード３１を着脱自在に装着した車載用認証装置３から個人情報を取得し、データ送信手段５３及び鍵データ受信手段５４を用いて、個人情報及び暗号化済みコンテンツの識別情報を認証課金センタ２へ送って暗号化済みコンテンツを解読するための鍵データを取得し、これを前記暗号化済みコンテンツとともにコンテンツ再生装置４へ転送し、該鍵データを用いて暗号化済みコンテンツを復号して再生する。【選択図】図１
2005057485.tif 000002
【特許請求の範囲】
【請求項１】
コンテンツ提供センタから提供される有料のコンテンツを移動体内で利用するコンテンツ利用方法であって、
コンテンツ提供センタと、認証課金センタと、移動体に搭載される認証装置、コンテンツ再生装置及び送受信機と、コンテンツ提供センタ及び認証課金センタと移動体に搭載された機器とを接続する無線部分を含むネットワークとを用い、
コンテンツ提供センタが、暗号化済みコンテンツを送受信機へネットワークを介して配信し、
送受信機が、コンテンツ提供センタからネットワークを介して暗号化済みコンテンツを受信し、認証装置に対して利用者認証情報を要求し、
認証装置が、前記要求を受け付け、予め記憶した利用者認証情報を返送し、
送受信機が、前記利用者認証情報及び前記暗号化済みコンテンツの識別情報とともに当該暗号化済みコンテンツを解読するための鍵データの要求を認証課金センタへネットワークを介して送信し、
認証課金センタが、送受信機からネットワークを介して前記鍵データの要求を受信し、前記利用者認証情報に基づき利用者認証を行い、認証可であれば前記鍵データを送受信機へネットワークを介して配信するとともに、所定の契機に課金処理を行い、
送受信機が、認証課金センタからネットワークを介して前記鍵データを受信し、該鍵データを前記暗号化済みコンテンツとともにコンテンツ再生装置へ転送し、
コンテンツ再生装置が、前記暗号化済みコンテンツを前記鍵データを用いて復号して再生する
ことを特徴とするコンテンツ利用方法。
【請求項２】
請求項１記載のコンテンツ利用方法において、
コンテンツ提供センタの代わりに暗号化済みコンテンツを格納したコンテンツ格納媒体を用い、
送受信機が、コンテンツ格納媒体から暗号化済みコンテンツを読み取り、認証装置に対して利用者認証情報を要求する
ことを特徴とするコンテンツ利用方法。
【請求項３】
請求項１又は２記載のコンテンツ利用方法において、
移動体に搭載されるＧＰＳ位置検出装置を併せて用い、
送受信機が、ＧＰＳ位置検出装置から移動体の位置情報を取得し、当該移動体の位置情報、前記利用者認証情報及び前記暗号化済みコンテンツの識別情報とともに当該暗号化済みコンテンツを解読するための鍵データの要求を認証課金センタへネットワークを介して送信し、
認証課金センタが、送受信機からネットワークを介して前記鍵データの要求を受信し、前記利用者認証情報に基づき予め記憶した盗難利用者認証情報との比較を含めた利用者認証を行い、認証不可であって一致する盗難利用者認証情報があれば前記移動体の位置情報を所定の機関に通知し、認証可であれば前記鍵データを送受信機へネットワークを介して配信するとともに、所定の契機に課金処理を行う
ことを特徴とするコンテンツ利用方法。
【請求項４】
請求項１乃至３いずれか記載のコンテンツ利用方法において、
認証装置として無線を介してＥＴＣゲートと通信可能であり、ＥＴＣ課金センタを通じて利用者より任意の料金を徴収可能な装置を用い、
認証課金センタが、送受信機からネットワークを介して前記鍵データの要求を受信し、前記利用者認証情報に基づき利用者認証を行い、認証可であれば前記鍵データを送受信機へネットワークを介して配信するとともに、利用者認証情報を含む課金情報をＥＴＣ課金センタへ転送し、
ＥＴＣ課金センタが、認証課金センタから利用者認証情報を含む課金情報を受信し、これに従い、所定の契機に課金処理を行う
ことを特徴とするコンテンツ利用方法。
【請求項５】
コンテンツ提供センタから提供される有料のコンテンツを移動体内で利用するコンテンツ利用方法であって、
コンテンツ提供センタと、一括課金処理ゲートと、認証課金センタと、移動体に搭載される認証装置、コンテンツ再生装置及び送受信機と、コンテンツ提供センタ及び一括課金処理ゲートと移動体に搭載された機器とを接続する無線部分を含むネットワークとを用い、
コンテンツ提供センタが、暗号化済みコンテンツ及び当該暗号化済みコンテンツを解読するための鍵データを送受信機へネットワークを介して配信し、
送受信機が、コンテンツ提供センタからネットワークを介して暗号化済みコンテンツ及び当該暗号化済みコンテンツを解読するための鍵データを受信し、認証装置に対して当該暗号化済みコンテンツの利用履歴の追加を要求し、
認証装置が、前記要求を受け付け、利用履歴記憶手段に前記暗号化済みコンテンツの利用履歴を追加し、
一括課金処理ゲートが、認証装置に対してネットワークを介して前記暗号化済みコンテンツを含む料金未払い分のコンテンツの利用履歴及び利用者認証情報を要求し、
認証装置が、前記要求を受け付け、前記暗号化済みコンテンツを含む料金未払い分のコンテンツの利用履歴及び予め記憶した利用者認証情報を一括課金処理ゲートへネットワークを介して送信し、
一括課金処理ゲートが、認証装置からネットワークを介して前記暗号化済みコンテンツを含む料金未払い分のコンテンツの利用履歴及び利用者認証情報を受信し、料金未払い分のコンテンツの利用料金の一括支払いのための利用者認証情報を含む一括課金データを作成し、これを認証課金センタへ送るとともに、課金済み情報を認証装置へネットワークを介して送信し、
認証課金センタが、料金未払い分のコンテンツの利用料金の一括支払いのための利用者認証情報を含む一括課金データを受信し、所定の契機に課金処理を行い、
認証装置が、一括課金処理ゲートからネットワークを介して課金済み情報を受信し、これを送受信機へ転送し、
送受信機が、前記課金済み情報を受信し、前記暗号化済みコンテンツ及び当該暗号化済みコンテンツを解読するための鍵データをコンテンツ再生装置へ転送し、
コンテンツ再生装置が、前記暗号化済みコンテンツを前記鍵データを用いて復号して再生する
ことを特徴とするコンテンツ利用方法。
【請求項６】
請求項５記載のコンテンツ利用方法において、
送受信機が、コンテンツ提供センタからネットワークを介して暗号化済みコンテンツ及び当該暗号化済みコンテンツを解読するための鍵データを受信し、認証装置に対して利用履歴を要求し、
認証装置が、前記要求を受け付け、利用履歴記憶手段に記録された利用履歴を送受信機に返送し、
送受信機が、認証装置から受け取った利用履歴を予め記憶した課金済み情報無しで利用可能なコンテンツの利用限度と比較し、該利用限度内であれば前記暗号化済みコンテンツ及び当該暗号化済みコンテンツを解読するための鍵データをコンテンツ再生装置へ転送するとともに、認証装置に対して当該暗号化済みコンテンツの利用履歴の追加を要求し、
認証装置が、前記要求を受け付け、利用履歴記憶手段に前記暗号化済みコンテンツの利用履歴を追加する
ことを特徴とするコンテンツ利用方法。
【請求項７】
請求項１乃至６いずれか記載のコンテンツ利用方法において、
利用者認証情報として利用者の個人情報を用いた
ことを特徴とするコンテンツ利用方法。
【請求項８】
請求項１乃至６いずれか記載のコンテンツ利用方法において、
利用者認証情報として移動体の識別コードを用いた
ことを特徴とするコンテンツ利用方法。
【請求項９】
コンテンツ提供センタから提供される有料のコンテンツを移動体内で利用するコンテンツ利用方法であって、
コンテンツ提供センタと、認証課金センタと、移動体に搭載される認証装置、コンテンツ再生装置及び送受信機と、コンテンツ提供センタ及び認証課金センタと移動体に搭載された機器とを接続する無線部分を含むネットワークとを用い、
コンテンツ提供センタが、暗号化済みコンテンツを送受信機へネットワークを介して配信し、
送受信機が、コンテンツ提供センタからネットワークを介して暗号化済みコンテンツを受信し、認証装置に対して当該暗号化済みコンテンツの利用料金の課金を要求し、
認証装置が、前記要求を受け付け、事前に支払った利用料金の残高情報から前記暗号化済みコンテンツの利用料金を減算し、課金済み情報を返送し、
送受信機が、前記課金済み情報及び前記暗号化済みコンテンツの識別情報とともに当該暗号化済みコンテンツを解読するための鍵データの要求を認証課金センタへネットワークを介して送信し、
認証課金センタが、送受信機からネットワークを介して前記鍵データの要求を受信し、前記課金済み情報に基づき課金処理を認証し、前記鍵データを送受信機へネットワークを介して配信し、
送受信機が、認証課金センタからネットワークを介して前記鍵データを受信し、該鍵データを前記暗号化済みコンテンツとともにコンテンツ再生装置へ転送し、
コンテンツ再生装置が、前記暗号化済みコンテンツを前記鍵データを用いて復号して再生する
ことを特徴とするコンテンツ利用方法。
【請求項１０】
コンテンツ提供センタから提供される有料のコンテンツを移動体内で利用するコンテンツ利用方法であって、
コンテンツ提供センタと、移動体に搭載される認証装置、コンテンツ再生装置及び送受信機と、コンテンツ提供センタと移動体に搭載された機器とを接続する無線部分を含むネットワークとを用い、
コンテンツ提供センタが、暗号化済みコンテンツ及び当該暗号化済みコンテンツを解読するための鍵データを送受信機へネットワークを介して配信し、
送受信機が、コンテンツ提供センタからネットワークを介して暗号化済みコンテンツ及び当該暗号化済みコンテンツを解読するための鍵データを受信し、認証装置に対して当該暗号化済みコンテンツの利用料金の課金を要求し、
認証装置が、前記要求を受け付け、事前に支払った利用料金の残高からコンテンツの利用料金を減算し、該利用料金を含む課金済み情報を送受信機へ返送し、
送受信機が、前記課金済み情報を受信し、前記暗号化済みコンテンツ及び当該暗号化済みコンテンツを解読するための鍵データをコンテンツ再生装置へ転送し、
コンテンツ再生装置が、前記暗号化済みコンテンツを前記鍵データを用いて復号して再生する
ことを特徴とするコンテンツ利用方法。
【請求項１１】
請求項１乃至１０いずれか記載のコンテンツ利用方法において、
コンテンツ再生装置が送受信機と一体化されている
ことを特徴とするコンテンツ利用方法。
【請求項１２】
請求項１乃至１１いずれか記載のコンテンツ利用方法において、
認証装置が送受信機と一体化されている
ことを特徴とするコンテンツ利用方法。
【請求項１３】
コンテンツ提供センタから提供される有料のコンテンツを移動体内で利用するコンテンツ利用システムであって、
コンテンツ提供センタと、認証課金センタと、移動体に搭載される認証装置、コンテンツ再生装置及び送受信機と、コンテンツ提供センタ及び認証課金センタと移動体に搭載された機器とを接続する無線部分を含むネットワークとを備え、
コンテンツ提供センタは、暗号化済みコンテンツを送受信機へネットワークを介して配信する機能を有し、
認証課金センタは、送受信機からネットワークを介して利用者認証情報及び前記暗号化済みコンテンツの識別情報とともに当該暗号化済みコンテンツを解読するための鍵データの要求を受信し、前記利用者認証情報に基づき利用者認証を行い、認証可であれば前記鍵データを送受信機へネットワークを介して配信するとともに、所定の契機に課金処理を行う機能を有し、
認証装置は、利用者認証情報を記憶する機能と、送受信機からの利用者認証情報の要求を受け付け、利用者認証情報を送受信機へ返送する機能とを有し、
コンテンツ再生装置は、送受信機から暗号化済みコンテンツ及び鍵データを受け取り、前記暗号化済みコンテンツを前記鍵データを用いて復号して再生する機能を有し、
送受信機は、
コンテンツ提供センタからネットワークを介して配信されてくる暗号化済みコンテンツを受信し、コンテンツ再生装置へ転送するコンテンツ受信機能と、
認証装置に対して利用者認証情報の要求を送信し、利用者認証情報を受信する対認証装置通信機能と、
前記利用者認証情報及び前記暗号化済みコンテンツの識別情報とともに当該暗号化済みコンテンツを解読するための鍵データの要求を認証課金センタへネットワークを介して送信するデータ送信機能と、
認証課金センタからネットワークを介して前記鍵データを受信する鍵データ受信機能と、
コンテンツ受信機能から暗号化済みコンテンツの識別情報を受け取り、対認証装置通信機能、データ送信機能及び鍵データ受信機能を用いて鍵データを取得し、該鍵データをコンテンツ再生装置へ転送する個人認証機能とを有する
ことを特徴とするコンテンツ利用システム。
【請求項１４】
請求項１３記載のコンテンツ利用システムにおいて、
コンテンツ提供センタの代わりに暗号化済みコンテンツを格納したコンテンツ格納媒体を備え、
送受信機は、
コンテンツ格納媒体から暗号化済みコンテンツを読み取り、コンテンツ再生装置へ転送するコンテンツ転送機能を有する
ことを特徴とするコンテンツ利用システム。
【請求項１５】
請求項１３又は１４記載のコンテンツ利用システムにおいて、
移動体に搭載され、当該移動体の位置情報を検出するＧＰＳ位置検出装置を備え、
認証課金センタは、送受信機からネットワークを介して移動体の位置情報、前記利用者認証情報及び前記暗号化済みコンテンツの識別情報とともに当該暗号化済みコンテンツを解読するための鍵データの要求を受信し、前記利用者認証情報に基づき予め記憶した盗難利用者認証情報との比較を含めた利用者認証を行い、認証不可であって一致する盗難利用者認証情報があれば前記移動体の位置情報を所定の機関に通知し、認証可であれば前記鍵データを送受信機へネットワークを介して配信するとともに、所定の契機に課金処理を行う機能を有し、
送受信機は、
コンテンツ提供センタからネットワークを介して配信されてくる暗号化済みコンテンツを受信し、コンテンツ再生装置へ転送するコンテンツ受信機能と、
認証装置に対して利用者認証情報を要求し、受信する対認証装置通信機能と、
ＧＰＳ位置検出装置から移動体の位置情報を取得し、当該移動体の位置情報、前記利用者認証情報及び前記暗号化済みコンテンツの識別情報とともに当該暗号化済みコンテンツを解読するための鍵データの要求を認証課金センタへネットワークを介して送信するデータ送信機能と、
認証課金センタからネットワークを介して前記鍵データを受信する鍵データ受信機能と、
コンテンツ受信機能から暗号化済みコンテンツの識別情報を受け取り、対認証装置通信機能、データ送信機能及び鍵データ受信機能を用いて鍵データを取得し、該鍵データをコンテンツ再生装置へ転送する個人認証機能とを有する
ことを特徴とするコンテンツ利用システム。
【請求項１６】
請求項１３乃至１５いずれか記載のコンテンツ利用システムにおいて、
認証装置に対して利用者認証情報を要求し、取得し、所定の課金情報を生成する機能を有するＥＴＣゲートと、認証課金センタ及びＥＴＣゲートから利用者認証情報を含む課金情報を受信し、これに従い、所定の契機に課金処理を行う機能を有するＥＴＣ課金センタとを更に備え、
認証課金センタは、送受信機からネットワークを介して前記利用者認証情報及び前記暗号化済みコンテンツの識別情報とともに当該暗号化済みコンテンツを解読するための鍵データの要求を受信し、前記利用者認証情報に基づき利用者認証を行い、認証可であれば前記鍵データを送受信機へネットワークを介して配信するとともに、利用者認証情報を含む課金情報をＥＴＣ課金センタへ転送する機能を有し、
認証装置は、利用者認証情報を記憶する機能と、送受信機又はＥＴＣゲートからの利用者認証情報の要求を受け付け、利用者認証情報を送受信機又はＥＴＣゲートへ返送する機能とを有する
ことを特徴とするコンテンツ利用システム。
【請求項１７】
コンテンツ提供センタから提供される有料のコンテンツを移動体内で利用するコンテンツ利用システムであって、
コンテンツ提供センタと、一括課金処理ゲートと、認証課金センタと、移動体に搭載される認証装置、コンテンツ再生装置及び送受信機と、コンテンツ提供センタ及び一括課金処理ゲートと移動体に搭載された機器とを接続する無線部分を含むネットワークとを備え、
コンテンツ提供センタは、暗号化済みコンテンツ及び当該暗号化済みコンテンツを解読するための鍵データを送受信機へネットワークを介して配信する機能を有し、
一括課金処理ゲートは、認証装置に対してネットワークを介して前記暗号化済みコンテンツを含む料金未払い分のコンテンツの利用履歴及び利用者認証情報を要求し、受信し、料金未払い分のコンテンツの利用料金の一括支払いのための利用者認証情報を含む一括課金データを作成し、これを認証課金センタへ送るとともに、課金済み情報を認証装置へネットワークを介して送信する機能を有し、
認証課金センタは、一括課金処理ゲートから料金未払い分のコンテンツの利用料金の一括支払いのための利用者認証情報を含む一括課金データを受信し、所定の契機に課金処理を行う機能を有し、
認証装置は、利用者認証情報を記憶する機能と、コンテンツの利用履歴を記憶する機能と、送受信機からの前記暗号化済みコンテンツの利用履歴の追加の要求を受け付け、利用履歴に前記暗号化済みコンテンツを追加し、一括課金処理ゲートからの暗号化済みコンテンツを含む料金未払い分のコンテンツの利用履歴及び利用者認証情報の要求をネットワークを介して受け付け、前記暗号化済みコンテンツを含む料金未払い分のコンテンツの利用履歴及び予め記憶した利用者認証情報を一括課金処理ゲートへネットワークを介して送信し、また、一括課金処理ゲートからネットワークを介して課金済み情報を受信し、これを送受信機へ転送する機能とを有し、
コンテンツ再生装置は、送受信機から暗号化済みコンテンツ及び鍵データを受け取り、前記暗号化済みコンテンツを前記鍵データを用いて復号して再生する機能を有し、
送受信機は、
コンテンツ提供センタからネットワークを介して配信されてくる暗号化済みコンテンツ及び当該暗号化済みコンテンツを解読するための鍵データを受信し、暗号化済みコンテンツをコンテンツ再生装置へ転送するコンテンツ受信機能と、
認証装置に対して前記暗号化済みコンテンツの利用履歴の追加を要求し、課金済み情報を受信する対認証装置通信機能と、
コンテンツ受信機能から暗号化済みコンテンツの識別情報を受け取り、対認証装置通信機能を用いて課金済み情報を取得し、鍵データをコンテンツ再生装置へ転送する個人認証機能とを有する
ことを特徴とするコンテンツ利用システム。
【請求項１８】
請求項１７記載のコンテンツ利用システムにおいて、
認証装置は、利用者認証情報を記憶する機能と、コンテンツの利用履歴を記憶する機能と、送受信機からのコンテンツの利用履歴の要求を受け付け、利用履歴を送受信機に返送し、送受信機からの前記暗号化済みコンテンツの利用履歴の追加の要求を受け付け、利用履歴に前記暗号化済みコンテンツを追加し、一括課金処理ゲートからの暗号化済みコンテンツを含む料金未払い分のコンテンツの利用履歴及び利用者認証情報の要求をネットワークを介して受け付け、前記暗号化済みコンテンツを含む料金未払い分のコンテンツの利用履歴及び予め記憶した利用者認証情報を一括課金処理ゲートへネットワークを介して送信し、また、一括課金処理ゲートからネットワークを介して課金済み情報を受信し、これを送受信機へ転送する機能とを有し、
送受信機は、
課金済み情報無しで利用可能なコンテンツの利用限度を記憶する機能と、
コンテンツ提供センタからネットワークを介して配信されてくる暗号化済みコンテンツ及び当該暗号化済みコンテンツを解読するための鍵データを受信し、暗号化済みコンテンツをコンテンツ再生装置へ転送するコンテンツ受信機能と、
認証装置に対してコンテンツの利用履歴を要求し、利用履歴を受信し、前記暗号化済みコンテンツの利用履歴の追加を要求し、課金済み情報を受信する対認証装置通信機能と、
コンテンツ受信機能から暗号化済みコンテンツの識別情報を受け取り、対認証装置通信機能を用いて利用履歴を取得し、利用履歴を前記利用限度と比較し、該利用限度内である時、もしくは対認証装置通信機能を用いて課金済み情報を取得した時、鍵データをコンテンツ再生装置へ転送する個人認証機能とを有する
ことを特徴とするコンテンツ利用システム。
【請求項１９】
請求項１３乃至１８いずれか記載のコンテンツ利用システムにおいて、
利用者認証情報として利用者の個人情報を用いた
ことを特徴とするコンテンツ利用システム。
【請求項２０】
請求項１３乃至１８いずれか記載のコンテンツ利用システムにおいて、
利用者認証情報として移動体の識別コードを用いた
ことを特徴とするコンテンツ利用システム。
【請求項２１】
コンテンツ提供センタから提供される有料のコンテンツを移動体内で利用するコンテンツ利用システムであって、
コンテンツ提供センタと、認証課金センタと、移動体に搭載される認証装置、コンテンツ再生装置及び送受信機と、コンテンツ提供センタ及び認証課金センタと移動体に搭載された機器とを接続する無線部分を含むネットワークとを備え、
コンテンツ提供センタは、暗号化済みコンテンツを送受信機へネットワークを介して配信する機能を有し、
認証課金センタは、送受信機からネットワークを介して暗号化済みコンテンツに対する課金済み情報及び暗号化済みコンテンツの識別情報を含む前記暗号化済みコンテンツを解読するための鍵データの要求を受信し、前記課金済み情報に基づき課金処理を認証し、前記鍵データを送受信機へネットワークを介して配信する機能を有し、
認証装置は、事前に支払った利用料金の残高情報を記憶する機能と、送受信機からの前記暗号化済みコンテンツの利用料金の課金要求を受け付け、前記記憶した残高情報から当該暗号化済みコンテンツの利用料金を減算し、課金済み情報を送受信機へ返送する機能とを有し、
送受信機は、
コンテンツ提供センタからネットワークを介して配信されてくる暗号化済みコンテンツを受信し、コンテンツ再生装置へ転送するコンテンツ受信機能と、
認証装置に対して前記暗号化済みコンテンツの利用料金の課金要求を送信し、課金済み情報を受信する対認証装置通信機能と、
前記課金済み情報及び前記暗号化済みコンテンツの識別情報とともに当該暗号化済みコンテンツを解読するための鍵データの要求を認証課金センタへネットワークを介して送信するデータ送信機能と、
認証課金センタからネットワークを介して前記鍵データを受信する鍵データ受信機能と、
コンテンツ受信機能から暗号化済みコンテンツの識別情報を受け取り、対認証装置通信機能、データ送信機能及び鍵データ受信機能を用いて鍵データを取得し、該鍵データをコンテンツ再生装置へ転送する個人認証機能とを有する
ことを特徴とするコンテンツ利用システム。
【請求項２２】
コンテンツ提供センタから提供される有料のコンテンツを移動体内で利用するコンテンツ利用システムであって、
コンテンツ提供センタと、移動体に搭載される認証装置、コンテンツ再生装置及び送受信機と、コンテンツ提供センタと移動体に搭載された機器とを接続する無線部分を含むネットワークとを備え、
コンテンツ提供センタは、暗号化済みコンテンツ及び当該暗号化済みコンテンツを解読するための鍵データを送受信機へネットワークを介して配信する機能を有し、
認証装置は、事前に支払った利用料金の残高を記憶する機能と、送受信機からの前記暗号化済みコンテンツの利用料金の課金要求を受け付け、前記記憶した残高から当該暗号化済みコンテンツの利用料金を減算し、該利用料金を含む課金済み情報を送受信機へ返送する機能とを有し、
コンテンツ再生装置は、送受信機から暗号化済みコンテンツ及び鍵データを受け取り、前記暗号化済みコンテンツを前記鍵データを用いて復号して再生する機能を有し、
送受信機は、
コンテンツ提供センタからネットワークを介して配信されてくる暗号化済みコンテンツ及び当該暗号化済みコンテンツを解読するための鍵データを受信し、暗号化済みコンテンツをコンテンツ再生装置へ転送するコンテンツ受信機能と、
認証装置に対して前記暗号化済みコンテンツの利用料金の課金を要求し、当該利用料金を含む課金済み情報を受信する対認証装置通信機能と、
コンテンツ受信機能から暗号化済みコンテンツの識別情報を受け取り、対認証装置通信機能を用いて課金済み情報を取得し、鍵データをコンテンツ再生装置へ転送する個人認証機能とを有する
ことを特徴とするコンテンツ利用システム。
【請求項２３】
請求項１３乃至２２いずれか記載のコンテンツ利用システムにおいて、
コンテンツ再生装置を送受信機と一体化した
ことを特徴とするコンテンツ利用システム。
【請求項２４】
請求項１３乃至２３いずれか記載のコンテンツ利用システムにおいて、
認証装置を送受信機と一体化した
ことを特徴とするコンテンツ利用システム。
【発明の詳細な説明】
【技術分野】
【０００１】
本発明は、コンテンツ提供センタから提供される、音楽や映像、ニュースなどの有料のコンテンツを自動車などの移動体内で利用するための技術に関する。
【背景技術】
【０００２】
従来、コンテンツ提供センタから提供される有料のコンテンツを移動体内で利用する方法（第１の方法）としては、図１９に示すように、コンテンツ蓄積手段１０１及びコンテンツ再生手段１０２を備えたコンテンツ受信＆再生装置１００を、事前にインターネット等を介してコンテンツ提供センタ（コンテンツ提供装置）に接続し、該センタからコンテンツをダウンロードして蓄積し、この際、認証及び課金処理を行って入手したコンテンツを再生できる状態にした上で、当該コンテンツ再生装置１００を移動体内に持ち込む方法がある（例えば、アップル社（登録商標）のｉＰｏｄ（登録商標）（非特許文献１参照）等）。
【０００３】
また、従来の第２の方法としては、図２０に示すように、コンテンツ＆鍵データ受信手段２０１、個人認証手段２０２及びコンテンツ再生手段２０３を備えたコンテンツ受信＆再生装置２００と、該コンテンツ再生装置２００に接続されたコンテンツ提供センタ毎の専用デコーダ２１０，２２０とを移動体内に設置しておき、コンテンツ提供センタから無線により送られてくる暗号化済みコンテンツ及びその鍵データをコンテンツ受信＆再生装置２００のコンテンツ＆鍵データ受信手段２０１で受信し、そのうちの鍵データを個人認証手段２０２により、予めデコーダ２１０，２２０に挿入された認証カード２３０，２４０の利用者認証情報記憶手段２３１，２４１に記憶された情報と比較し、マッチした場合は、暗号化済みコンテンツを個人認証手段２０２を介してデコーダ２１０，２２０に転送し、該デコーダ２１０，２２０で暗号が解読されたコンテンツを個人認証手段２０２を介して受信し、コンテンツ再生手段２０３で再生する方法がある（会員カードによるスクランブル解除を含む衛星放送受信方法）（非特許文献２参照）。
【０００４】
また、従来の第３の方法としては、無線通信機能を備えた通常のパーソナルコンピュータや携帯情報端末を移動体内に持ち込んでおき、該移動体内でインターネット等を介してコンテンツ提供センタに接続し、クレジットカード番号などを投入することにより課金処理を行うとともにコンテンツをダウンロードしながら再生する方法がある。
【非特許文献１】”まったく新しいｉＰｏｄ”、［ｏｎｌｉｎｅ］、平成１５年７月１４日、Apple Computer, Inc.、［平成１５年７月１６日検索］、インターネット＜ＵＲＬ：http://www.apple.co.jp/ipod＞
【非特許文献２】”ＷＯＷＯＷを見るには？”、［ｏｎｌｉｎｅ］、平成１５年７月１４日、WOWOW INC.、［平成１５年７月１６日検索］、インターネット＜ＵＲＬ：http://www.wowow.co.jp/info/subscription/annai wowow.html＞
【発明の開示】
【発明が解決しようとする課題】
【０００５】
しかし、前述した第１の方法では、事前に入手したコンテンツしか再生できず、利用者の気分がコンテンツを入手した時点と変わり、別の（入手していない）コンテンツを視聴したいような場合に対応できないという問題があった。また、第２の方法では、コンテンツ提供センタ（コンテンツプロバイダ）毎に専用のデコーダ及び認証カードが必要となり、設備が多くなるとともにコストがかかるという問題があった。また、第３の方法では、第２の方法に比べて、コンテンツ提供センタに接続したり、クレジットカード番号を入力するなどの操作が複雑であるため、移動体が移動中であって利用者がその運転者であるような場合には利用が困難という問題があった。
【０００６】
本発明の目的は、コンテンツ提供センタ（コンテンツプロバイダ）毎に専用の装置などを必要とすることなく、比較的簡単な操作で所望のコンテンツを移動体内で利用可能とすることにある。
【課題を解決するための手段】
【０００７】
本発明では、前記目的を達成するため、コンテンツ提供センタから提供される有料のコンテンツを移動体内で利用するコンテンツ利用方法であって、コンテンツ提供センタと、認証課金センタと、移動体に搭載される認証装置、コンテンツ再生装置及び送受信機と、コンテンツ提供センタ及び認証課金センタと移動体に搭載された機器とを接続する無線部分を含むネットワークとを用い、コンテンツ提供センタが、暗号化済みコンテンツを送受信機へネットワークを介して配信し、送受信機が、コンテンツ提供センタからネットワークを介して暗号化済みコンテンツを受信し、認証装置に対して利用者認証情報を要求し、認証装置が、前記要求を受け付け、予め記憶した利用者認証情報を返送し、送受信機が、前記利用者認証情報及び前記暗号化済みコンテンツの識別情報とともに当該暗号化済みコンテンツを解読するための鍵データの要求を認証課金センタへネットワークを介して送信し、認証課金センタが、送受信機からネットワークを介して前記鍵データの要求を受信し、前記利用者認証情報に基づき利用者認証を行い、認証可であれば前記鍵データを送受信機へネットワークを介して配信するとともに、所定の契機に課金処理を行い、送受信機が、認証課金センタからネットワークを介して前記鍵データを受信し、該鍵データを前記暗号化済みコンテンツとともにコンテンツ再生装置へ転送し、コンテンツ再生装置が、前記暗号化済みコンテンツを前記鍵データを用いて復号して再生することを特徴とする。
【０００８】
この際、再生可能なコンテンツに制限が生ずるが、コンテンツ提供センタの代わりに暗号化済みコンテンツを格納したコンテンツ格納媒体を用いるようにしても良い。
【０００９】
また、移動体にＧＰＳ位置検出装置を搭載し、鍵データの要求時に移動体の位置情報を利用者認証情報と同時に送るようにすることにより、認証装置が盗難されたものであった場合、前記位置情報からその現在位置を特定することが可能となり、防犯効果が得られる。
【００１０】
また、認証装置をＥＴＣ（Electornic Toll Collection）システムの車載装置と共用させるとともに、ＥＴＣシステムの課金センタに課金処理を行わせるようにしても良い。
【００１１】
また、認証装置に、利用者認証情報とともにコンテンツの利用履歴を記憶させておき、暗号化済みコンテンツを含む料金未払い分のコンテンツの利用履歴が一括課金処理ゲートに送られ、課金がなされたことを認証する課金済み情報が得られた時にコンテンツの再生を許容するようにすることもできる。
【００１２】
また、この際、予め送受信機に課金済み情報無しでも利用可能なコンテンツの利用限度を記憶させておくことにより、一括課金データが認証課金センタに送られる前でもコンテンツの利用を可能とすることができる。
【００１３】
また、認証装置に、事前に支払った利用料金の残高情報を利用者認証情報の代わりに記憶させておき、課金済み情報を認証課金センタに送ることにより、鍵データを取得するようにすることもできる。
【００１４】
また、この際、コンテンツ提供センタから暗号化済みコンテンツとともに当該暗号化済みコンテンツを解読するための鍵データも同時に送ることによって、認証課金センタにおける認証を省略することもできる。
【発明の効果】
【００１５】
本発明によれば、利用者認証情報を認証課金センタに送った時あるいは課金済み情報が得られた時のみコンテンツの利用を可能とすることにより、不正利用を防止するとともに確実に課金でき、また、コンテンツ提供センタ（コンテンツプロバイダ）毎に専用の装置などを必要とすることなく、比較的簡単な操作で所望のコンテンツを移動体内で利用であり、これによって、コンテンツ提供者のさらなる参入を促し、コンテンツ流通及び関連産業の活性化を目指すことが可能となる。
【００１６】
また、認証課金センタや移動体に搭載する認証装置を、ＥＴＣシステムにおける課金センタや車載装置と共用することも可能であり、この場合、低コストでシステムが実現できることから、移動体におけるコンテンツの利用が促進されるとともに、ＥＴＣの普及も加速されるという大きな経済的効果をもたらす。
【発明を実施するための最良の形態】
【００１７】
以下、図面を用いて、本発明の実施の形態を説明する。
【００１８】
［第１の実施の形態］
図１は本発明のコンテンツ利用システムの第１の実施の形態を示すもので、図中、１はコンテンツ提供センタ、２は認証課金センタ、３は車載用認証装置、４はコンテンツ再生装置、５は送受信機である。ここで、車載用認証装置３、コンテンツ再生装置４及び送受信機５は移動体に搭載され、送受信機５とコンテンツ提供センタ１及び認証課金センタ２とは無線部分を含むネットワーク（図示せず）を介して通信可能となっている。
【００１９】
コンテンツ提供センタ（コンテンツ提供装置）１は、音楽や映像、ニュースなどの暗号化済みコンテンツを、送受信機５へネットワークを介して有料で配信する機能を有する。
【００２０】
認証課金センタ（認証課金装置）２は、送受信機５からネットワークを介して利用者認証情報及び暗号化済みコンテンツの識別情報とともに前記暗号化済みコンテンツを解読するための鍵データの要求を受信し、前記利用者認証情報に基づき利用者認証を行い、認証可であれば前記鍵データを送受信機５へネットワークを介して配信するとともに、所定の契機にクレジットカード会社等を通じて課金処理を行う機能を有する。
【００２１】
車載用認証装置３は、着脱自在に装着されるＩＣカード３１内に設けられた利用者認証情報、ここでは利用者の個人情報（名義やクレジットカード番号など）を記憶する個人情報記憶手段３２と、送受信機５からの利用者認証情報の要求を受け付け、個人情報記憶手段３２から利用者の個人情報を読み出して送受信機５へ返送する通信手段３３とを有する。
【００２２】
コンテンツ再生装置４は、送受信機５から暗号化済みコンテンツ及び鍵データを受け取り、前記暗号化済みコンテンツを前記鍵データを用いて復号して再生する機能を有する。
【００２３】
送受信機５は、コンテンツ受信手段５１と、対認証装置通信手段５２と、データ送信手段５３と、鍵データ受信手段５４と、個人認証手段５５とを有する。
【００２４】
コンテンツ受信手段５１は、コンテンツ提供センタ１からネットワークを介して配信されてくる暗号化済みコンテンツを受信し、コンテンツ再生装置４へ転送するとともに、該暗号化済みコンテンツの識別情報を個人認証手段５５へ通知する。
【００２５】
対認証装置通信手段５２は、個人認証手段５５からの命令に従い、車載用認証装置３に対して利用者認証情報の要求を送信し、これを受信する。
【００２６】
なお、車載用認証装置３の通信手段３３と送受信機５の対認証装置通信手段５２との間の通信方式としては、Bluetooth（登録商標）のような近距離無線、車内ＬＡＮ、直接接続等があり得る。
【００２７】
データ送信手段５３は、個人認証手段５５からの命令に従い、利用者認証情報及び暗号化済みコンテンツの識別情報とともに暗号化済みコンテンツを解読するための鍵データの要求を認証課金センタ２へネットワークを介して送信する。
【００２８】
鍵データ受信手段５４は、認証課金センタ２からネットワークを介して前記鍵データを受信を受信し、個人認証手段５５に転送する。
【００２９】
個人認証手段５５は、コンテンツ受信手段５１から暗号化済みコンテンツの識別情報を受け取り、対認証装置通信手段５２を用いて車載用認証装置３から利用者認証情報を取得し、データ送信手段５３を用いて利用者認証情報及び暗号化済みコンテンツの識別情報とともに鍵データの要求を認証課金センタ２へ送信し、鍵データ受信手段５４を用いて認証課金センタ２から鍵データを取得し、これをコンテンツ再生装置４へ転送する。
【００３０】
図２は図１のコンテンツ利用システムにおける動作を示すシーケンス図であり、以下、前記システムの動作を説明する。
【００３１】
（１）コンテンツ提供センタ１は、暗号化済みコンテンツを送受信機５へネットワークを介して配信する。
【００３２】
（２）送受信機５のコンテンツ受信手段５１は、コンテンツ送信センタから暗号化済みコンテンツを受信し、これをコンテンツ再生装置４へ転送するとともに、該暗号化済みコンテンツの識別情報を個人認証手段５５へ通知する。
【００３３】
（３）送受信機５の個人認証手段５５は、対認証装置通信手段５２を介して車載用認証装置３に利用者認証情報を要求する。
【００３４】
（４）車載用認証装置３は、前記要求を通信手段３３を介して受け付け、ＩＣカード３１の個人情報記憶手段３２から利用者の個人情報を読み出し、通信手段３３を介して無線送受信機５へ送信する。
【００３５】
（５）送受信機５の個人認証手段５５は、対認証装置通信手段５２を介して車載用認証装置３から利用者の個人情報を受信すると、データ送信手段５３に対して、該利用者の個人情報及び前記暗号化済みコンテンツの識別情報とともに当該暗号化済みコンテンツを解読するための鍵データの要求の送信を依頼する。
【００３６】
（６）送受信機５のデータ送信手段５３は、前記利用者の個人情報及び暗号化済みコンテンツの識別情報とともに鍵データの要求を、認証課金センタ２へネットワークを介して送信する。
【００３７】
（７）認証課金センタ２は、送受信機５からネットワークを介して前記利用者の個人情報及び暗号化済みコンテンツの識別情報とともに鍵データの要求を受信すると、前記利用者の個人情報に基づき利用者認証を行い、認証可であれば前記鍵データを送受信機５へネットワークを介して配信するとともに、所定の契機（定期的、所定量のデータが蓄積した時点など）に課金処理を行う（課金処理用のデータを集計するだけのケースもあり。）。
【００３８】
（８）送受信機５の鍵データ受信手段５４は、認証課金センタ２からネットワークを介して前記鍵データを受信し、個人認証手段５５に転送する。
【００３９】
（９）送受信機５の個人認証手段５５は、鍵データ受信手段５４から受け取った鍵データを、そのままもしくは必要に応じて変換した後、コンテンツ再生装置４に転送する。
【００４０】
（１０）コンテンツ再生装置４は、前記暗号化済みコンテンツを前記鍵データを用いて復号し、コンテンツを再生する。
【００４１】
［第２の実施の形態］
図３は本発明のコンテンツ利用システムの第２の実施の形態を示すもので、ここでは第１の実施の形態において、利用者認証情報として移動体の識別コード（登録ナンバーなど）を用いた例を示す。
【００４２】
即ち、図３において、３ａは車載用認証装置であり、前記同様の通信手段３３とともに、移動体の識別コードを記憶する識別コード記憶手段３４を有している。前記通信手段３３及び識別コード記憶手段３４を実現するものとして周知の無線タグ（ＲＦＩＤ）があり、このような無線タグを取り付けたナンバープレートを前記車載用認証装置３ａとして用いても良い。
【００４３】
なお、その他の構成は第１の実施の形態の場合と同様である。
【００４４】
図４は図３のコンテンツ利用システムにおける動作を示すシーケンス図であり、以下、第１の実施の形態の場合と異なる動作について説明する。
【００４５】
（１）〜（３）第１の実施の形態の場合と同様。
【００４６】
（１１）車載用認証装置３ａは、前記要求を通信手段３３を介して受け付け、識別コード記憶手段３４から移動体の識別コードを読み出し、通信手段３３を介して送受信機５へ送信する。
【００４７】
（１２）送受信機５の個人認証手段５５は、対認証装置通信手段５２を介して車載用認証装置３ａから移動体の識別コードを受信すると、データ送信手段５３に対して、該移動体の識別コード及び前記暗号化済みコンテンツの識別情報とともに当該暗号化済みコンテンツを解読するための鍵データの要求の送信を依頼する。
【００４８】
（１３）送受信機５のデータ送信手段５３は、前記移動体の識別コード及び暗号化済みコンテンツの識別情報とともに鍵データの要求を、認証課金センタ２へネットワークを介して送信する。
【００４９】
（１４）認証課金センタ２は、送受信機５からネットワークを介して前記移動体の識別コード及び暗号化済みコンテンツの識別情報とともに鍵データの要求を受信すると、前記移動体の識別コードに基づき利用者認証を行い（例えば、登録ナンバーデータベース等にアクセスして登録ナンバー対応の個人情報（課金先の個人情報）を得た上で）、認証可であれば前記鍵データを送受信機５へネットワークを介して配信するとともに、所定の契機に課金処理を行う。
【００５０】
（８）〜（１０）第１の実施の形態の場合と同様。
【００５１】
［第３の実施の形態］
図５は本発明のコンテンツ利用システムの第３の実施の形態を示すもので、ここでは第１の実施の形態において、利用者認証情報の代わりに事前に支払った利用料金の残高情報を用いた例を示す。
【００５２】
即ち、図５において、３ｂは車載用認証装置であり、着脱自在に装着されるプリペイドカード３５内に設けられた、事前に支払った利用料金の残高情報を記憶する残高記憶手段３６と、送受信機からのコンテンツの利用料金の課金要求を受け付け、前記記憶した残高情報から当該コンテンツの利用料金を減算し、減算に成功した時は課金済み情報を、また、減算に失敗した時は課金不可情報を送受信機へ返送する通信手段３３ａとを有している。
【００５３】
なお、プリペイドカード３５としては、所定の利用料金の残高情報が予め磁気記録された使い捨て方式の磁気カードによるものの外、所定の端末に接続して一定の手続を行うことにより残高情報の増額も可能で、繰り返し使用可能なＩＣカードであっても良い。
【００５４】
また、２ａは認証課金センタ２ａであり、送受信機からネットワークを介して暗号化済みコンテンツに対する課金済み情報及び暗号化済みコンテンツの識別情報とともに前記暗号化済みコンテンツを解読するための鍵データの要求を受信し、前記課金済み情報に基づき課金処理を認証し、前記鍵データを送受信機へネットワークを介して配信する機能を有する。
【００５５】
また、５ａは送受信機であり、コンテンツ受信手段５１と、対認証装置通信手段５２ａと、データ送信手段５３ａと、鍵データ受信手段５４と、個人認証手段５５ａとを有する。
【００５６】
対認証装置通信手段５２ａは、個人認証手段５５ａからの命令に従い、車載用認証装置に対して暗号化済みコンテンツの利用料金の課金要求を送信し、課金済み情報又は課金不可情報を受信する。
【００５７】
データ送信手段５３ａは、個人認証手段５５ａからの命令に従い、前記課金済み情報及び暗号化済みコンテンツの識別情報とともに前記暗号化済みコンテンツを解読するための鍵データの要求を認証課金センタ２ａへネットワークを介して送信する。
【００５８】
個人認証手段５５ａは、コンテンツ受信手段５１から暗号化済みコンテンツの識別情報を受け取り、対認証装置通信手段５２ａを用いて車載用認証装置３ｂから課金済み情報又は課金不可情報を取得し、課金済み情報が得られた時はデータ送信手段５３ａを用いて課金済み情報及び暗号化済みコンテンツの識別情報とともに鍵データの要求を認証課金センタ２ａへ送信し、鍵データ受信手段５４を用いて認証課金センタ２から鍵データを取得し、これをコンテンツ再生装置４へ転送し、課金不可情報が得られた時はこれを利用者へコンテンツ再生装置４等を介して通知する。
【００５９】
なお、その他の構成は第１の実施の形態の場合と同様である。
【００６０】
図６は図５のコンテンツ利用システムにおける動作を示すシーケンス図であり、以下、第１の実施の形態の場合と異なる動作について説明する。
【００６１】
（１）〜（２）第１の実施の形態の場合と同様。
【００６２】
（２１）送受信機５ａの個人認証手段５５は、対認証装置通信手段５２ａを介して車載用認証装置３ｂに暗号化済みコンテンツの利用料金の課金を要求する。
【００６３】
（２２）車載用認証装置３ｂは、前記要求を通信手段３３ａを介して受け付け、プリペイドカード３５の残高記憶手段３６に記憶された残高情報から前記利用料金分を減算し、課金済み情報を通信手段３３ａを介して送受信機５ａへ送信する。この時、残高不足で利用料金分の減算ができない場合は、課金不可情報を通信手段３３ａを介して送受信機５ａへ送信する。
【００６４】
（２３）送受信機５ａの個人認証手段５５ａは、対認証装置通信手段５２ａを介して車載用認証装置３ｂから課金済み情報を受信すると、データ送信手段５３ａに対して、該課金済み情報及び暗号化済みコンテンツの識別情報とともに当該暗号化済みコンテンツを解読するための鍵データの要求の送信を依頼する。また、課金不可情報を受信した場合は、コンテンツ再生装置４を介して利用者に残高不足である旨等を通知する。
【００６５】
（２４）送受信機５ａのデータ送信手段５３ａは、前記課金済み情報及び暗号化済みコンテンツの識別情報とともに鍵データの要求を、認証課金センタ２ａへネットワークを介して送信する。
【００６６】
（２５）認証課金センタ２は、送受信機５からネットワークを介して前記課金済み情報及び暗号化済みコンテンツの識別情報とともに鍵データの要求を受信し、前記課金済み情報を確認すると、前記鍵データを送受信機５へネットワークを介して配信する。
【００６７】
（８）〜（１０）第１の実施の形態の場合と同様。
【００６８】
なお、図６では残高不足の場合の動作については省略した。
【００６９】
［第４の実施の形態］
図７は本発明のコンテンツ利用システムの第４の実施の形態を示すもので、ここでは第３の実施の形態において、コンテンツ提供センタから暗号化済みコンテンツとともに鍵データを配信することにより、認証課金センタから鍵データの配信を不要となした例を示す。
【００７０】
即ち、図７において、１ａはコンテンツ提供センタであり、暗号化済みコンテンツ及び当該暗号化済みコンテンツを解読するための鍵データを送受信機へネットワークを介して配信する機能を有する。
【００７１】
また、５ｂは送受信機であり、対認証装置通信手段５２ａと、個人認証手段５５ｂと、コンテンツ＆鍵データ受信手段５６とを有する。
【００７２】
コンテンツ＆鍵データ受信手段５６は、コンテンツ提供センタ１ａからネットワークを介して配信されてくる暗号化済みコンテンツ及び当該暗号化済みコンテンツを解読するための鍵データを受信し、暗号化済みコンテンツをコンテンツ再生装置へ転送するとともに、該暗号化済みコンテンツの識別情報及び鍵データを個人認証手段５５ｂへ通知する。
【００７３】
個人認証手段５５ｂは、コンテンツ＆鍵データ受信手段５６から暗号化済みコンテンツの識別情報を受け取り、対認証装置通信手段５２ａを用いて車載用認証装置３ｂから課金済み情報又は課金不可情報を取得し、課金済み情報が得られた時は鍵データをコンテンツ再生装置４へ転送し、課金不可情報が得られた時はこれを利用者へコンテンツ再生装置４等を介して通知する。
【００７４】
なお、その他の構成は第３の実施の形態の場合と同様である。
【００７５】
図８は図７のコンテンツ利用システムにおける動作を示すシーケンス図であり、以下、第１、第３の実施の形態の場合と異なる動作について説明する。
【００７６】
（３１）コンテンツ提供センタ１ａは、暗号化済みコンテンツ及び当該暗号化済みコンテンツを解読するための鍵データを送受信機５ｂへネットワークを介して配信する。
【００７７】
（３２）送受信機５ｂのコンテンツ＆鍵データ受信手段５６は、コンテンツ送信センタ１ａから暗号化済みコンテンツ及び当該暗号化済みコンテンツを解読するための鍵データを受信し、暗号化済みコンテンツをコンテンツ再生装置４へ転送するとともに、該暗号化済みコンテンツの識別情報及び鍵データを個人認証手段５５ｂへ通知する。
【００７８】
（２１）〜（２２）第３の実施の形態の場合と同様。
【００７９】
（３３）送受信機５ｂの個人認証手段５５ｂは、対認証装置通信手段５２ａを介して車載用認証装置３ｂから課金済み情報を受信すると、鍵データを、そのままもしくは必要に応じて変換した後、コンテンツ再生装置４に転送する。また、課金不可情報を受信した場合は、コンテンツ再生装置４を介して利用者に残高不足である旨等を通知する。
【００８０】
（１０）第１の実施の形態の場合と同様。
【００８１】
なお、図８では残高不足の場合の動作については省略した。
【００８２】
［第５の実施の形態］
図９は本発明のコンテンツ利用システムの第５の実施例を示すもので、ここでは第１の実施の形態において、コンテンツ提供センタの代わりに暗号化済みコンテンツを格納したコンテンツ格納媒体を用いた例を示す。
【００８３】
即ち、図中、１１はコンテンツ格納媒体であり、暗号化済みコンテンツを格納している。なお、コンテンツ格納媒体１１としては、ＣＤやＤＶＤのような書換不能な媒体、フラッシュメモリや磁気記録媒体のような書換可能な媒体のいずれでも良く、書換可能な媒体の場合、事前に別の装置を通じてコンテンツ提供センタと接続し、任意の暗号化済みコンテンツをダウンロードして格納したものであっても良い。
【００８４】
また、５ｃは送受信機であり、対認証装置通信手段５２と、データ送信手段５３と、鍵データ受信手段５４と、個人認証手段５５と、コンテンツ転送手段５７とを有する。
【００８５】
コンテンツ転送手段５７は、コンテンツ格納媒体１１から暗号化済みコンテンツを読み取り、コンテンツ再生装置４へ転送するとともに、該暗号化済みコンテンツの識別情報を個人認証手段５５へ通知する。
【００８６】
なお、その他の構成は第１の実施の形態の場合と同様である。
【００８７】
図１０は図９のコンテンツ利用システムにおける動作を示すシーケンス図であり、以下、第１の実施の形態の場合と異なる動作について説明する。
【００８８】
（１）無し。
【００８９】
（４１）送受信機５ｃのコンテンツ転送手段５７は、コンテンツ格納媒体１１から暗号化済みコンテンツを読み取り、これをコンテンツ再生装置４へ転送するとともに、該暗号化済みコンテンツの識別情報を個人認証手段５５へ通知する。
【００９０】
（３）〜（１０）第１の実施の形態の場合と同様。
【００９１】
［第６の実施の形態］
図１１は本発明のコンテンツ利用システムの第６の実施の形態を示すもので、ここでは第４の実施の形態において、プリペイドカードを使用する代わりに課金用のゲートを通じて課金処理を行う例を示す。
【００９２】
即ち、図１１において、６は一括課金処理ゲートであり、車載用認証装置に対してネットワークを介して暗号化済みコンテンツを含む料金未払い分のコンテンツの利用履歴及び利用者認証情報を要求し、受信し、料金未払い分のコンテンツの利用料金の一括支払いのための利用者認証情報を含む一括課金データを作成し、これを認証課金センタへ送るとともに、課金済み情報を車載用認証装置へネットワークを介して送信する機能を有する。
【００９３】
また、２ｂは認証課金センタであり、一括課金処理ゲートから料金未払い分のコンテンツの利用料金の一括支払いのための利用者認証情報を含む一括課金データを受信し、当該利用者に対する課金処理を行う機能を有する。
【００９４】
また、３ｃは認証装置であり、着脱自在に装着されるＩＣカード３１ａ内に設けられた利用者認証情報、ここでは利用者の個人情報を記憶する個人情報記憶手段３２と、コンテンツの利用履歴を記憶する利用履歴記憶手段３７と、送受信機からの暗号化済みコンテンツの利用履歴の追加の要求を受け付け、利用履歴記憶手段３７に前記暗号化済みコンテンツを追加し、一括課金処理ゲート６からの暗号化済みコンテンツを含む料金未払い分のコンテンツの利用履歴及び利用者認証情報の要求をネットワークを介して受け付け、前記暗号化済みコンテンツを含む料金未払い分のコンテンツの利用履歴及び個人情報記憶手段３２に記憶された利用者の個人情報を一括課金処理ゲート６へネットワークを介して送信し、また、一括課金処理ゲート６からネットワークを介して課金済み情報を受信し、これを送受信機へ転送する通信手段３３ｂとを有する。
【００９５】
また、５ｄは送受信機であり、対認証装置通信手段５２ｂと、個人認証手段５５ｃと、コンテンツ＆鍵データ受信手段５６とを有する。
【００９６】
対認証装置通信手段５２ｂは、個人認証手段５５ｃからの命令に従い、車載用認証装置３ｃに対して前記暗号化済みコンテンツの利用履歴の追加を要求し、課金済み情報を受信する。
【００９７】
個人認証手段５５ｃは、コンテンツ＆鍵データ受信手段５６から暗号化済みコンテンツの識別情報を受け取り、対認証装置通信手段５２ｂを用いて課金済み情報を取得し、鍵データをコンテンツ再生装置４へ転送する。
【００９８】
なお、その他の構成は第４の実施の形態の場合と同様である。
【００９９】
図１２は図１１のコンテンツ利用システムにおける動作を示すシーケンス図であり、以下、第１、第３、第４の実施の形態の場合と異なる動作について説明する。
【０１００】
（３１）〜（３２）第４の実施の形態の場合と同様。
【０１０１】
（５１）送受信機５ｄの個人認証手段５５ｃは、対認証装置通信手段５２ｂを介して車載用認証装置３ｃに対して暗号化済みコンテンツの利用履歴の追加を要求する。
【０１０２】
（５２）車載用認証装置３ｃは、前記要求を通信手段３３ｂを介して受け付け、ＩＣカード３１ａの利用履歴記憶手段３７に前記暗号化済みコンテンツの利用履歴を追加する。
【０１０３】
（５３）一括課金処理ゲート６は、車載用認証装置３ｃに対してネットワークを介して前記暗号化済みコンテンツを含む料金未払い分のコンテンツの利用履歴及び利用者認証情報を要求する。
【０１０４】
（５４）車載用認証装置３ｃは、前記要求を通信手段３３ｂを介して受け付け、ＩＣカード３１ａの利用履歴記憶手段３７から暗号化済みコンテンツを含む料金未払い分のコンテンツの利用履歴を読み出すとともに、個人情報記憶手段３２から利用者の個人情報を読み出し、これらを通信手段３３ｂを用いて一括課金処理ゲートへネットワークを介して送信する。
【０１０５】
（５５）一括課金処理ゲート６は、車載用認証装置３ｃからネットワークを介して前記暗号化済みコンテンツを含む料金未払い分のコンテンツの利用履歴及び利用者の個人情報を受信し、料金未払い分のコンテンツの利用料金の一括支払いのための利用者の個人情報を含む一括課金データを作成し、これを認証課金センタ２ｂへ送るとともに、課金済み情報を車載用認証装置３ｃへネットワークを介して送信する。
【０１０６】
（５６）認証課金センタ２ｂは、前記料金未払い分のコンテンツの利用料金の一括支払いのための利用者の個人情報を含む一括課金データに基づき、当該利用者に対し、所定の契機に課金処理を行う。
【０１０７】
（５７）車載用認証装置３ｃは、前記課金済み情報を通信手段３３ｂを介して受信し、これを通信手段３３ｂを介して送受信機５ｄへ転送する。
【０１０８】
（３３）第３の実施の形態の場合と同様。
【０１０９】
（１０）第１の実施の形態の場合と同様。
【０１１０】
［第７の実施の形態］
図１３は本発明のコンテンツ利用システムの第７の実施の形態を示すもので、ここでは第６の実施の形態において、一括課金処理ゲートの通過無しでも予め記憶した一定の限度まではコンテンツの利用を可能とするとともに、車載用認証装置、コンテンツ再生装置及び送受信機を一体化した例を示す。
【０１１１】
即ち、図１３において、５ｅは送受信＆再生機であり、個人認証手段５５ｄと、コンテンツ＆鍵データ受信手段５６と、利用限度記憶手段５８を有するとともに、車載用認証装置に対応する認証手段３ｄと、コンテンツ再生装置に対応するコンテンツ再生手段４ａとを備えている。
【０１１２】
利用限度記憶手段５８は、課金済み情報無し、即ち一括課金処理ゲートの通過無しで利用可能なコンテンツの利用限度を記憶する。
【０１１３】
個人認証手段５５ｄは、コンテンツ＆鍵データ受信手段５６から暗号化済みコンテンツの識別情報を受け取り、認証手段３ｄに対して前記暗号化済みコンテンツの利用履歴の追加及び追加後の利用履歴を要求し、認証手段３ｄから利用履歴及び課金済み情報を受信し、該利用履歴を利用限度記憶手段５８に記憶された利用限度と比較し、該利用限度内である時もしくは課金済み情報を取得した時、鍵データをコンテンツ再生手段４ａへ転送する。
【０１１４】
また、認証手段３ｄは、前述した個人情報記憶手段３２及び利用履歴記憶手段３７を有するＩＣカード３１ａを着脱自在に装着可能であり、また、個人認証手段５５ｄからの利用履歴の要求を受け付け、利用履歴記憶手段３７に記憶された利用履歴を個人認証手段５５ｄに返送し、個人認証手段５５ｄからの暗号化済みコンテンツの利用履歴の追加の要求を受け付け、利用履歴記憶手段３７に前記暗号化済みコンテンツを追加し、一括課金処理ゲートからの暗号化済みコンテンツを含む料金未払い分のコンテンツの利用履歴及び利用者認証情報の要求をネットワークを介して受け付け、前記暗号化済みコンテンツを含む料金未払い分のコンテンツの利用履歴及び個人情報記憶手段３２に記憶された利用者の個人情報を一括課金処理ゲートへネットワークを介して送信し、また、一括課金処理ゲートからネットワークを介して課金済み情報を受信し、これを個人認証手段５５ｄへ転送する通信手段３３ｃを有する。
【０１１５】
コンテンツ再生手段４ａは、送受信＆再生機５ｅに内蔵された点を除いてコンテンツ再生装置４と同様である。
【０１１６】
なお、その他の構成は第６の実施の形態の場合と同様である。
【０１１７】
図１４は図１３のコンテンツ利用システムにおける動作を示すシーケンス図であり、以下、第１、第３、第４、第６の実施の形態の場合と異なる動作について説明する。
【０１１８】
（３１）〜（３２）第４の実施の形態の場合と同様。
【０１１９】
（６１）送受信＆再生機５ｅの個人認証手段５５ｄは、認証手段３ｄに対して利用履歴を要求する。
【０１２０】
（６２）認証手段３ｄは、前記要求を受け付け、ＩＣカード３１ａの利用履歴記憶手段３７に記録された利用履歴を個人認証手段５５ｄに返送する。
【０１２１】
（６３）送受信＆再生機５ｅの個人認証手段５５ｄは、認証手段３ｄから受け取った利用履歴を利用限度記憶手段５８に記憶された利用限度と比較し、該利用限度内であれば暗号化済みコンテンツを解読するための鍵データを、そのままもしくは必要に応じて変換した後、コンテンツ再生手段４ａへ転送するとともに、認証手段３ｄに対して当該暗号化済みコンテンツの利用履歴の追加を要求する。なお、利用限度を越えている場合は、コンテンツ再生手段４ａを介して利用者にその旨を通知しても良い。
【０１２２】
（６４）認証手段３ｄは、前記要求を受け付け、ＩＣカード３１ａの利用履歴記憶手段３７に前記暗号化済みコンテンツの利用履歴を追加する。
【０１２３】
（１０）第１の実施の形態の場合と同様。
【０１２４】
なお、図１４では省略したが、（６３）の動作以後、第６の実施の形態における（５３）〜（５７）の動作、第３の実施の形態における（３３）の動作が同様に行われる。
【０１２５】
［第８の実施の形態］
図１５は本発明のコンテンツ利用システムの第８の実施の形態を示すもので、ここでは第１の実施の形態において、ＧＰＳ（Global Positioning System）との組み合わせによりＩＣカードや第２の実施の形態で述べた無線タグを取り付けたナンバープレート等からなる車載用認証装置の盗難に対処可能とした例を示すものである。
【０１２６】
即ち、図１５において、７はＧＰＳ位置検出装置であり、移動体に搭載され、当該移動体の地理的な位置を検出し、その情報を送受信機に送る。
【０１２７】
また、８は盗難情報蓄積手段であり、申告のあった盗難ＩＣカードや盗難ナンバープレートに関する利用者の情報（個人情報、識別コード等：盗難利用者認証情報）が蓄積されている。
【０１２８】
また、２ｃは認証課金センタであり、送受信機からネットワークを介して利用者認証情報、暗号化済みコンテンツの識別情報及び移動体の位置情報とともに前記暗号化済みコンテンツを解読するための鍵データの要求を受信し、前記利用者認証情報に基づき盗難情報蓄積手段に蓄積された盗難利用者認証情報との比較を含めた利用者認証を行い、認証不可であって一致する盗難利用者認証情報があれば前記位置情報を所定の機関（警察など）に通知し、認証可であれば前記鍵データを送受信機へネットワークを介して配信するとともに、所定の契機に課金処理を行う機能を有する。
【０１２９】
また、５ｆは送受信機であり、コンテンツ受信手段５１と、対認証装置通信手段５２と、データ送信手段５３ｂと、鍵データ受信手段５４と、個人認証手段５５ｅとを有する。
【０１３０】
データ送信手段５３ｂは、個人認証手段５５ｅからの命令に従い、ＧＰＳ位置検出装置７から移動体の位置情報を取得し、利用者認証情報、暗号化済みコンテンツの識別情報及び移動体の位置情報とともに暗号化済みコンテンツを解読するための鍵データの要求を認証課金センタ２ｃへネットワークを介して送信する。
【０１３１】
個人認証手段５５ｅは、コンテンツ受信手段５１から暗号化済みコンテンツの識別情報を受け取り、対認証装置通信手段５２を用いて車載用認証装置３から利用者認証情報を取得し、データ送信手段５３ｂを用いて利用者認証情報、暗号化済みコンテンツの識別情報及び移動体の位置情報とともに鍵データの要求を認証課金センタ２ｃへ送信し、鍵データ受信手段５４を用いて認証課金センタ２ｃから鍵データを取得し、これをコンテンツ再生装置４へ転送する。
【０１３２】
なお、その他の構成は第１の実施の形態の場合と同様である。
【０１３３】
図１６は図１５のコンテンツ利用システムにおける動作を示すシーケンス図であり、以下、第１の実施の形態の場合と異なる動作について説明する。
【０１３４】
（１）〜（４）第１の実施の形態の場合と同様。
【０１３５】
（７１）送受信機５ｆの個人認証手段５５ｅは、対認証装置通信手段５２を介して車載用認証装置３から利用者の個人情報を受信すると、データ送信手段５３ｂに対して、利用者の個人情報、暗号化済みコンテンツの識別情報及び移動体の位置情報とともに暗号化済みコンテンツを解読するための鍵データの要求の送信を依頼する。
【０１３６】
（７２）送受信機５ｆのデータ送信手段５３ｂは、ＧＰＳ位置検出装置７から移動体の位置情報を取得し、前記利用者の個人情報、暗号化済みコンテンツの識別情報及び移動体の位置情報とともに鍵データの要求を、認証課金センタ２ｃへネットワークを介して送信する。
【０１３７】
（７３）認証課金センタ２ｃは、送受信機５ｆからネットワークを介して前記利用者の個人情報、暗号化済みコンテンツの識別情報及び移動体の位置情報とともに鍵データの要求を受信すると、前記利用者の個人情報に基づき盗難情報蓄積手段８に蓄積された盗難利用者認証情報との比較を含めた利用者認証を行い、認証不可であって一致する盗難利用者認証情報があれば前記位置情報を所定の機関に通知し、認証可であれば前記鍵データを送受信機５ｆへネットワークを介して配信するとともに、所定の契機に課金処理を行う。
【０１３８】
なお、図１６では省略したが、認証可であれば、（７３）の動作以後、第１の実施の形態における（８）〜（１０）の動作が同様に行われる。
【０１３９】
［第９の実施の形態］
図１７は本発明のコンテンツ利用システムの第９の実施の形態を示すもので、ここでは既存のＥＴＣ（Electornic Toll Collection）システムにおける課金処理を応用した例を示すものである。
【０１４０】
即ち、図１７において、９ａは周知のＥＴＣゲートであり、車載用認証装置に対して無線を介して利用者認証情報を要求し、取得し、所定の課金情報を生成する機能を有する。
【０１４１】
また、９ｂはＥＴＣ課金センタであり、ＥＴＣゲート９ａから利用者認証情報を含む課金情報を受信し、これに従い所定の契機に課金処理を行う周知の機能とともに、認証課金センタから利用者認証情報を含む課金情報を受信し、これに従い、所定の契機に課金処理を行う機能を有している。
【０１４２】
また、２ｄは認証課金センタであり、送受信機からネットワークを介して利用者認証情報及び暗号化済みコンテンツの識別情報とともに前記暗号化済みコンテンツを解読するための鍵データの要求を受信し、前記利用者認証情報に基づき利用者認証を行い、認証可であれば前記鍵データを送受信機へネットワークを介して配信するとともに、利用者認証情報を含む課金情報をＥＴＣ課金センタ９ｂへ転送する機能を有する。
【０１４３】
また、３ｅは車載用認証装置であり、着脱自在に装着されるＩＣカード３１内に設けられた利用者認証情報、ここでは利用者の個人情報を記憶する個人情報記憶手段３２と、送受信機及びＥＴＣゲートからの利用者認証情報の要求を受け付け、利用者認証情報を送受信機及びＥＴＣゲートへ返送する通信手段３３ｄとを有する。
【０１４４】
なお、その他の構成は第１の実施の形態の場合と同様である。
【０１４５】
図１８は図１７のコンテンツ利用システムにおける動作を示すシーケンス図であり、以下、第１の実施の形態の場合と異なる動作について説明する。
【０１４６】
（１）〜（６）第１の実施の形態の場合と同様。
【０１４７】
（８１）認証課金センタ２ｄは、送受信機５からネットワークを介して前記利用者の個人情報及び暗号化済みコンテンツの識別情報とともに鍵データの要求を受信すると、前記利用者の個人情報に基づき利用者認証を行い、認証可であれば前記鍵データを送受信機５へネットワークを介して配信するとともに、利用者認証情報を含む課金情報をＥＴＣ課金センタ９ｂへ転送する。
【０１４８】
（８２）ＥＴＣ課金センタ９ｂは、認証課金センタ２ｄから利用者認証情報を含む課金情報を受信し、これに従い、当該利用者に対し所定の契機に課金処理を行う。
【０１４９】
（８）〜（１０）第１の実施の形態の場合と同様。
【０１５０】
なお、本発明とは直接関係しないが、ＥＴＣシステムにおける有料道路料金などの徴収は次のように行われる。
【０１５１】
（９１）ＥＴＣゲート９ａは、車載用認証装置３ｅに対して利用者認証情報を要求する。
【０１５２】
（９２）車載用認証装置３ｅは、前記要求を通信手段３３ｄを介して受け付け、ＩＣカード３１の個人情報記憶手段３２から利用者の個人情報を読み出し、これらを通信手段３３ｄを用いてＥＴＣゲート９ａへ送信する。
【０１５３】
（９３）ＥＴＣゲート９ａは、車載用認証装置３ｅから利用者の個人情報を受信し、利用者の個人情報を含む課金情報を作成し、これをＥＴＣ課金センタ９ｂへ送る。
【０１５４】
（９４）ＥＴＣ課金センタ９ｂは、前記利用者の個人情報を含む課金情報に基づき、当該利用者に対し、所定の契機に課金処理を行う。
【図面の簡単な説明】
【０１５５】
【図１】本発明のコンテンツ利用システムの第１の実施の形態を示す構成図
【図２】図１のコンテンツ利用システムにおける動作を示すシーケンス図
【図３】本発明のコンテンツ利用システムの第２の実施の形態を示す構成図
【図４】図３のコンテンツ利用システムにおける動作を示すシーケンス図
【図５】本発明のコンテンツ利用システムの第３の実施の形態を示す構成図
【図６】図５のコンテンツ利用システムにおける動作を示すシーケンス図
【図７】本発明のコンテンツ利用システムの第４の実施の形態を示す構成図
【図８】図７のコンテンツ利用システムにおける動作を示すシーケンス図
【図９】本発明のコンテンツ利用システムの第５の実施の形態を示す構成図
【図１０】図９のコンテンツ利用システムにおける動作を示すシーケンス図
【図１１】本発明のコンテンツ利用システムの第６の実施の形態を示す構成図
【図１２】図１１のコンテンツ利用システムにおける動作を示すシーケンス図
【図１３】本発明のコンテンツ利用システムの第７の実施の形態を示す構成図
【図１４】図１３のコンテンツ利用システムにおける動作を示すシーケンス図
【図１５】本発明のコンテンツ利用システムの第８の実施の形態を示す構成図
【図１６】図１５のコンテンツ利用システムにおける動作を示すシーケンス図
【図１７】本発明のコンテンツ利用システムの第９の実施の形態を示す構成図
【図１８】図１７のコンテンツ利用システムにおける動作を示すシーケンス図
【図１９】従来のコンテンツ利用システムの一例を示す構成図
【図２０】従来のコンテンツ利用システムの他の例を示す構成図
【符号の説明】
【０１５６】
１，１ａ：コンテンツ提供センタ、２，２ａ〜２ｄ：認証課金センタ、３，３ａ〜３ｅ：車載用認証装置（手段）、４，４ａ：コンテンツ再生装置（手段）、５，５ａ〜５ｆ：送受信機、６：一括課金処理ゲート、７：ＧＰＳ位置検出装置、８：盗難情報蓄積手段、９ａ：ＥＴＣゲート、９ｂ：ＥＴＣ課金センタ、１１：コンテンツ格納媒体、３１：ＩＣカード、３２：個人情報記憶手段、３３，３３ａ〜３３ｄ：通信手段、３４：識別コード記憶手段、３５：プリペイドカード、３６：残高記憶手段、３７：利用履歴記憶手段、５１：コンテンツ受信手段、５２，５２ａ，５２ｂ：対認証装置通信手段、５３，５３ａ，５３ｂ：データ送信手段、５４：鍵データ受信手段、５５，５５ａ〜５５ｅ：個人認証手段、５６：コンテンツ＆鍵データ受信手段、５７：コンテンツ転送手段、５８：利用限度記憶手段。
【図１】
2005057485.tif 000003
【図２】
2005057485.tif 000004
【図３】
2005057485.tif 000005
【図４】
2005057485.tif 000006
【図５】
2005057485.tif 000007
【図６】
2005057485.tif 000008
【図７】
2005057485.tif 000009
【図８】
2005057485.tif 000010
【図９】
2005057485.tif 000011
【図１０】
2005057485.tif 000012
【図１１】
2005057485.tif 000013
【図１２】
2005057485.tif 000014
【図１３】
2005057485.tif 000015
【図１４】
2005057485.tif 000016
【図１５】
2005057485.tif 000017
【図１６】
2005057485.tif 000018
【図１７】
2005057485.tif 000019
【図１８】
2005057485.tif 000020
【図１９】
2005057485.tif 000021
【図２０】
2005057485.tif 000022